(57)【要約】【課題】電気柵の支柱を傾斜させるか鉛直とするか選択可能な電気柵取付具を提供することを目的とする。【解決手段】縦線部材８１と横線部材８２からなる格子状の防護柵３の上部に電気柵６を取り付ける電気柵取付具１であって、電気柵６の支柱７を防護柵３に取り付ける支柱取付具２と、支柱取付具２を防護柵３に固定するフックボルト４および蝶ナット５と、支柱７を支柱取付具２に保持するクリップ８と、を備え、支柱取付具２には、支柱７を傾斜させて取り付ける長孔２１と、支柱７を鉛直に取り付ける丸孔２２が形成されていることにより、支柱７を傾斜させるか鉛直とするかを選択して取り付け可能となる。【選択図】図１
2019080519.tif 000002
【特許請求の範囲】
【請求項１】
縦線部材と横線部材からなる格子状の柵の上部に電気柵を取り付ける電気柵取付具であって、
前記電気柵の支柱を前記柵に取り付ける支柱取付具と、
前記支柱取付具を前記柵に固定する固定具と、
前記支柱を前記支柱取付具に保持する保持具と、を備え、
前記支柱取付具には、前記支柱を傾斜させて取り付ける第１の取付部と、前記支柱を鉛直に取り付ける第２の取付部が形成されていることを特徴とする電気柵取付具。
【請求項２】
前記第１の取付部が２箇所の長孔であり、前記第２の取付部が２箇所の丸孔であることを特徴とする請求項１に記載の電気柵取付具。
【請求項３】
前記保持具は前記支柱に着脱可能であって、前記支柱を挿通可能な挿通部と、前記電気柵の電線を取り付け可能な取付部と、を有することを特徴とする請求項１又は２に記載の電気柵取付具。
【請求項４】
前記支柱取付具は前記柵の柵柱に係止する柵柱係止部を有することを特徴とする請求項１〜３のいずれか１項に記載の電気柵取付具。
【請求項５】
前記固定具がフックボルトおよび蝶ナットであることを特徴とする請求項１〜４のいずれか１項に記載の電気柵取付具。
【発明の詳細な説明】
【技術分野】
【０００１】
本発明は、道路や線路沿い、農耕地等と野山との境界に設置された動物等の進入を防止する金属製の柵の上部に電気柵を取り付ける電気柵取付具に関する。
【背景技術】
【０００２】
道路、線路、農耕地などに鹿やイノシシなどの動物の侵入を防止するために、道路、線路、農耕地などとの境界に金属製の柵を設けることは一般的に行われている。このような柵は鹿やイノシシなどの動物の侵入を防止するには有効であるが、例えば、猿などは柵をよじ登ったり、飛び越えたりすることで容易にこの柵の上方を越えてしまう。
【０００３】
そこで、既設の柵の上部に電気柵を取り付け、猿などの動物が柵の上方から道路、線路、農耕地などに侵入することを防止することが行われている。この電気柵を取り付けるものとして、特許文献１に記載の支柱支持具（１）が知られている。この支柱支持具（１）は、水平方向に配設された複数の横部材（１４Ａ）と、鉛直方向に配設された複数の縦部材（１４Ｂ）を格子状に連結して形成した柵（１４）に支柱本体（１０）を取り付けるものであり、この支柱本体（１０）に装着した導電部材支持部（１１）に裸電線（１２）を張設することにより電気柵とするものである。
【先行技術文献】
【特許文献】
【０００４】
【特許文献１】特開２０１５−１００３１１号公報
【発明の概要】
【発明が解決しようとする課題】
【０００５】
特許文献１に記載の支柱支持具（１）は、支柱本体（１０）を挿入する支柱収容部（３）を備えるが、この支柱収容部（３）は支柱支持具（１）を柵（１４）に取り付けた状態では斜め上方に伸びるように設けられている。そのため、この支柱支持具（１）を用いた場合には、支柱（１５）が斜め上方に伸びるように設置される。これは、支柱（１５）を動物の生息する山側に向けて延設することで、動物が電気柵を乗り越え難くするためであると考えられる。しかしながら、柵（１４）は農耕地と道路との境界に設けられていることもあり、支柱（１５）が道路側に延設して設けられると、道路を走行する車両に接触する虞があり、支柱（１５）を柵（１４）の真上方向に延設する場合には、この支柱支持具（１）が使えないという問題があった。
【０００６】
また、特許文献１に記載の支柱支持具（１）は、横部材用凹部（６）に柵（１４）の横部材（１４Ａ）を当接させ、縦部材用凹部（７）に柵（１４）の縦部材（１４Ｂ）を当接させて柵（１４）に取り付けるものであるが、縦部材用凹部（７）が横部材用凹部（６）よりも支柱収容部（３）側に位置していることから、支柱支持具（１）は柵（１４）の縦部材（１４Ｂ）側（特許文献１の図７の紙面手前側）から取り付けるものであり、柵（１４）の横部材（１４Ａ）側（特許文献１の図７の紙面奥側）からは、横部材（１４Ａ）および縦部材（１４Ｂ）を横部材用凹部（６）および縦部材用凹部（７）に当接させて取り付けることができない。すなわち、柵（１４）の一側方向からしか取り付けることができない。柵（１４）は、縦部材（１４Ｂ）側を山側に向けて設置することが推奨されているが、実際には横部材（１４Ａ）を山側に向けて設置されている柵（１４）が多くあるのが現状である。横部材（１４Ａ）が山側に向いた柵（１４）に支柱支持具（１）を取り付けると、支柱（１５）は山と反対側に延設されることとなり、横部材（１４Ａ）が山側に向いた柵（１４）には、支柱支持具（１）が使えないという問題もあった。
【０００７】
本発明は以上の問題点を解決し、支柱を柵の真上方向と山側方向のいずれにも延設可能で、かつ、格子状の溶接金網の縦線部材側および横線部材側のいずれの方向からも取り付け可能な支柱取付具を備える電気柵取付具を提供することを目的とする。
【課題を解決するための手段】
【０００８】
本発明の請求項１に記載の電気柵取付具は、縦線部材と横線部材からなる格子状の柵の上部に電気柵を取り付ける電気柵取付具であって、前記電気柵の支柱を前記柵に取り付ける支柱取付具と、前記支柱取付具を前記柵に固定する固定具と、前記支柱を前記支柱取付具に保持する保持具と、を備え、前記支柱取付具には、前記支柱を傾斜させて取り付ける第１の取付部と、前記支柱を鉛直に取り付ける第２の取付部が形成されていることを特徴とする。
【０００９】
本発明の請求項２に記載の電気柵取付具は、前記第１の取付部が２箇所の長孔であり、前記第２の取付部が２箇所の丸孔であることを特徴とする。
【００１０】
本発明の請求項３に記載の電気柵取付具は、前記保持具は前記支柱に着脱可能であって、前記支柱を挿通可能な挿通部と、前記電気柵の電線を取り付け可能な取付部と、を有することを特徴とする。
【００１１】
本発明の請求項４に記載の電気柵取付具は、前記支柱取付具は前記柵の柵柱に係止する柵柱係止部を有することを特徴とする。
【００１２】
本発明の請求項５に記載の電気柵取付具は、前記固定具がフックボルトおよび蝶ナットであることを特徴とする。
【発明の効果】
【００１３】
本発明の請求項１に記載の電気柵取付具は、電気柵の支柱を傾斜させて柵に取り付けるか、鉛直に柵に取り付けるかを使用者が選択することができる。
【００１４】
本発明の請求項２に記載の電気柵取付具は、単純な機構により電気柵の支柱を傾斜して、又は鉛直に取り付けることができる。
【００１５】
本発明の請求項３に記載の電気柵取付具は、電気柵の支柱の保持と電線の取り付けを同形状の保持具により行うことができる。
【００１６】
本発明の請求項４に記載の電気柵取付具は、支柱取付具を柵の柵柱に取り付けることにより、電気柵を柵の上部に取り付けることができる。
【００１７】
本発明の請求項５に記載の電気柵取付具は、汎用部品であるフックボルトおよび蝶ナットにより支柱取付具を柵に固定することができる。
【図面の簡単な説明】
【００１８】
【図１】本発明の実施例１を示す上板部を上にして支柱取付具を取り付けた電気柵取付具の斜視図である。
【図２】同、下板部を上にして支柱取付具を取り付けた電気柵取付具の斜視図である。
【図３】同、上板部を上にして支柱取付具を取り付けた防護柵および電気柵の斜視図である。
【図４】同、下板部を上にして支柱取付具を取り付けた防護柵および電気柵の斜視図である。
【図５】同、上板部を上にして支柱取付具を取り付けた電気柵取付具の右側面図である。
【図６】同、下板部を上にして支柱取付具を取り付けた電気柵取付具の左側面図である。
【図７】同、支柱取付具の平面図である。
【図８】同、支柱取付具の底面図である。
【図９】同、支柱取付具の背面図である。
【図１０】同、支柱取付具の正面図である。
【図１１】同、支柱取付具のＡ−Ａ断面図である。
【図１２】同、支柱取付具のＢ−Ｂ断面図である。
【図１３】同、支柱取付具のＣ−Ｃ断面図である。
【図１４】同、クリップの通常時の平面図である。
【図１５】同、クリップの把持部を近づけた状態の平面図である。
【図１６】本発明の実施例２を示す電気柵を取り付けた状態の電気柵取付具の斜視図である。
【図１７】本発明の実施例３を示す下板部を上にして支柱取付具を取り付けた電気柵取付具の左側面図である。
【発明を実施するための形態】
【００１９】
以下、本発明の実施例について、添付図１〜図１７を参照して説明する。以下に説明する実施例は、請求の範囲に記載された本発明の内容を限定するものではない。また、以下に説明される構成の全てが、本発明の必須要件であるとは限らない。なお、実施例において、図の手前、奥、左、右をそれぞれ、前側、後側、左側、右側として説明する。
【実施例１】
【００２０】
図１〜図１５は本発明の実施例１を示したものであり、図１および図２に示す１は本実施例の電気柵取付具であり、電気柵取付具１は、支柱取付具２と、支柱取付具２を溶接金網を用いた防護柵３に固定する固定部としてのフックボルト４および蝶ナット５から構成される。電気柵６は、支柱７と、支柱７に取り付ける保持具としてのクリップ８と、表面が導電性を有する電線８７と補強用のワイヤー８８からなる電牧線９を有する。
【００２１】
主に図７〜図１３に示すように、支柱取付具２は、ポリブチレンテレフタレート（ＰＢＴ）樹脂から形成されており、上板部１１と、下板部１２と、左板部１３と、右板部１４と、後板部１５と、左後板部１６と、右後板部１７と、により外形をなしている。上板部１１、下板部１２、左板部１３、右板部１４、後板部１５、左後板部１６および右後板部１７は、全て板状に形成されている。なお、支柱取付具２の素材は、所定以上の強度を有するものであれば、他の合成樹脂や金属を使用してもよい。
【００２２】
上板部１１と下板部１２は外形が同形状であり、平行に配設され互いに対向している。左板部１３と右板部１４は外形が同形状であり、平行に配設され互いに対向している。後板部１５は横長の長方形状、左後板部１６と右後板部１７は縦長の長方形状を有している。左板部１３は上板部１１と下板部１２の左側に接続され、右板部１４は上板部１１と下板部１２の右側に接続され、後板部１５は上板部１１と下板部１２の後側に接続され、左後板部１６は上板部１１と下板部１２の左後側に接続されると共に左板部１３および後板部１５にも接続され、右後板部１７は上板部１１と下板部１２の右後側に接続されると共に右板部１４および後板部１５にも接続されている。支柱取付具２の前側には開口部１８が形成されている。
【００２３】
上板部１１には、支柱７を挿通する挿通孔としての長孔２１と丸孔２２が穿設されている。長孔２１は上板部１１の左側であって後板側１５に形成され、丸孔２２は上板部１１の右側であって前後方向略中央に形成されている。
【００２４】
長孔２１の前後の縁部には、半円状に形成された前縁部２３と後縁部２４を有し、前縁部２３と後縁部２４との間には直線状に形成された左縁部２５および右縁部２６が形成されている。左縁部２５と右縁部２６とは平行となっている。長孔２１の前後方向（長手方向）の長さＬ１は支柱７の直径の約１．３倍に形成され、長孔２１の左縁部２３と右縁部２４との間の長さＷ１は支柱７の直径よりわずかに大きく形成されている。真円状に形成された丸孔２２の直径は、支柱７の直径よりわずかに大きく形成されている。なお、長さＬ１は、長孔２１内で支柱７を傾斜可能な長さであれば適宜変更可能である。
【００２５】
上板部１１の前側端部２７の左右方向中央には、等脚台形状の上板台形凹部２８が形成されている。また、上板台形凹部２８の上辺部分には、後述する縦線部材８１を挿通する上側縦線用溝２９が形成されている。上側縦線用溝２９の後縁部３０は円弧状に形成されている。
【００２６】
下板部１２にも上板部１１と同様に、支柱７を挿通する挿通孔としての長孔３１と丸孔３２が穿設されている。長孔３１は下板部１２の左側であって開口部１８側に形成され、丸孔３２は下板部１２の右側であって前後方向略中央に形成されている。長孔３１の前後の縁部には、半円状に形成された前縁部３３と後縁部３４を有し、前縁部３３と後縁部３４との間には直線状に形成された左縁部３５および右縁部３６が形成されている。左縁部３５と右縁部３６とは平行となっている。長孔３１の前後方向（長手方向）の長さＬ２は支柱７の直径の約１．３倍に形成され、長孔３１の左縁部３５と右縁部３６との間の長さＷ２は支柱７の直径よりわずかに大きく形成されている。丸孔３２の直径は、支柱７の直径よりわずかに大きく形成されている。なお、長さＬ２は上記Ｌ１と同様に、長孔２１内で支柱７を傾斜可能な長さであれば適宜変更可能である。
【００２７】
上板部１１に形成された長孔２１および丸孔２２の大きさと、下板部１２に形成された長孔３１および丸孔３２の大きさは同一である。図１１に示すように、上板部１１の長孔２１の中心と下板部１２の長孔３１の中心は、上板部１１および下板部１２に対して所定の角度θ（０°＜θ＜９０°）をなす軸線Ｚ１上に位置している。角度θは、上板部１１の長孔２１と下板部１２の長孔３１の位置関係に依存する。そのため、角度θは好ましくは約６０°であるが、取付時の支柱７の傾きを所望の角度とするため、角度θは任意に設定可能である。また、図１２に示すように、上板部１１の丸孔２２の中心と下板部１２の丸孔３２の中心は、上板部１１および下板部１２と直交する軸線Ｚ２上に位置している。
【００２８】
下板部１２の前側端部３７の左右方向中央には、等脚台形状の下板台形凹部３８が形成されている。また、下板台形凹部３８の上辺部分には、後述する縦線部材８１を挿通する下側縦線用溝３９が形成されている。下側縦線用溝３９の後縁部４０は円弧状に形成されている。上板部１１の上板台形凹部２８と下板部１２の下板台形凹部３８は同形状であり、上板部１１の上側縦線用溝２９と下板部１２の下側縦線用溝３９は同形状である。
【００２９】
左板部１３の前側端部４１の上下方向中央には、等脚台形状の左板台形凹部４２が形成されている。また、左板台形凹部４２の上辺部分には、後述する横線部材８２を挿通する左側横線用溝４３が形成されている。左側横線用溝４３の後縁部４４は円弧状に形成されている。
【００３０】
右板部１２の前側端部４５の上下方向中央には、等脚台形状の右板台形凹部４６が形成されている。また、右板台形凹部４６の上辺部分には、後述する横線部材８２を挿通する右側横線用溝４７が形成されている。右側横線用溝４７の後縁部４８は円弧状に形成されている。左板部１３の左板台形凹部４２と右板部１４の右板台形凹部４６は同形状であり、左板部１３の左側横線用溝４３と右板部１４の右側横線用溝４７は同形状である。
【００３１】
後板部１５の中心部分には、フックボルト４を挿通する円形のボルト孔４９が穿設されている。左後板部１６と右後板部１７は同形状である。
【００３２】
図１０〜図１３に示すように、支柱取付具２の内側には、後板部１５のボルト孔４９の周囲に前側に突出した筒部５１が立設されている。筒部５１の長さは、上板部１１および下板部１２の前後方向の長さの約１／２である。筒部５１の長さは、ボルト孔４９および筒部５１にフックボルト４を挿通した際に、フックボルト４が支柱取付具２に対して所定以上後側に移動することを規制可能な長さであれば適宜変更可能である。
【００３３】
筒部５１の上側には、上板部１１と後板部１５と筒部５１に接続された補強用のリブである上側リブ５２が形成されている。上側リブ５２は、側面視で直角台形状を有しており、上底部５３が筒部５１に接続され、下底部５４が上板部１１に接続されている。上底部５３は筒部５１と同一の長さに形成されており、下底部５４は上底部５３よりも前側まで延設されているため、上側リブ５２は前側には上傾斜辺部５５が形成されている。
【００３４】
筒部５１の下側には、下板部１２と後板部１５と筒部５１に接続された補強用のリブである下側リブ５６が形成されている。下側リブ５６は、側面視で直角台形状を有しており、上底部５７が筒部５１に接続され、下底部５８が下板部１２に接続されている。上底部５７は筒部５１と同一の長さに形成されており、下底部５８は上底部５７よりも前側まで延設されているため、下側リブ５６は前側には下傾斜辺部５９が形成されている。
【００３５】
筒部５１の左側には、左板部１３と後板部１５と左後板部１６と筒部５１に接続された補強用のリブである左側リブ６１が形成されている。左側リブ６１には、支柱７を挿通する挿通溝としての左挿通溝６２が形成されている。左挿通溝６２は前側が開口し、後側の縁部である後縁部６３は長孔２１および長孔３１の後縁部２４，３４と同形状（半円状）を有している。後縁部６３の前側に形成された直線状の左縁部６４および右縁部６５は平行となっており、左縁部６４と右縁部６５の間の長さＷ３は長孔２１の左縁部２５と右縁部２６との間の長さＷ１および長孔３１の左縁部３５と右縁部３６との間の長さＷ２と同一である。また、左側リブ６１の左挿通溝６２より右側の部分には、筒部５１に接続する左傾斜辺部６６が形成されている。
【００３６】
左挿通溝６２の後縁部６３は、上板部１１に形成された長孔２１の後縁部２４よりも前側であって、下板部１２に形成された長孔３１の後縁部３４よりも後側に位置しており、支柱７を長孔２１および長孔３１に挿通し、支柱７が後縁２４および後縁３４に当接した状態で、左挿通溝６２の後縁部６３に支柱７が当接するように形成されている。
【００３７】
筒部５１の右側には、右板部１４と後板部１５と右後板部１７と筒部５１に接続された補強用のリブである右側リブ７１が形成されている。右側リブ７１には、支柱７を挿通する挿通溝としての右挿通溝７２が形成されている。右挿通溝７２は前側が開口し、後側の縁部である後縁部７３は左挿通溝６２の後縁部６３と同形状（半円状）を有している。後縁部７３の前側に形成された直線状の左縁部７４および右縁部７５は平行となっており、左縁部７４と右縁部７５の間の長さＷ４は左挿通溝６２の左縁部６４と右縁部６５との間の長さＷ３と同一である。右側リブ７１の右挿通溝７２より左側の部分には、筒部５１に接続する右傾斜辺部７６が形成されている。
【００３８】
右挿通溝７２は、上板部１１に形成された丸孔２２と下板部１２に形成された丸孔３２に支柱７を挿通する際に支柱７が右側リブ７１によって規制されないように形成されており、丸孔２２と丸孔３２に支柱７を挿通し、支柱７が丸孔２２の後端と丸孔３２の後端に当接した状態の時に、支柱７が後縁部７３に当接するように形成されている。
【００３９】
筒部５１の長さを上板部１１および下板部１２の前後方向の長さの約１／２とし、上傾斜辺部５５、下傾斜辺部５９、左傾斜辺部６６および右傾斜辺部７６を形成することにより、フックボルト４をボルト孔４９および筒部５１に挿通した状態で、フックボルト４のフック部４Ｂが上側リブ５２、下側リブ５６、左側リブ６１および右側リブ７１に接触することなくフックボルト４を回転させることができる。
【００４０】
地面に立設して使用される防護柵３は、複数の縦線部材８１の一側に複数の横線部材８２を縦線部材８１に対して直角をなした状態で溶接により固定されたものである。以下、本実施例では、図１に示すように、縦線部材８１が手前側となっている面を縦線部材面、図２に示すように、横線部材８２が手前側となっている面を横線部材面という。
【００４１】
支柱７は、ガラス繊維により細長い円柱状に形成されている。支柱７は、直径８，１０，１４ｍｍ（ミリメートル）など所望の太さのものを使用可能であるが、本実施例では、１４ｍｍのものを使用している。したがって、長孔２１の左縁部２３と右縁部２４との間の長さＷ１、長孔３１の左縁部３５と右縁部３６との間の長さＷ２、左挿通溝６２の左縁部６４と右縁部６５の間の長さＷ３、右挿通溝７２の左縁部７４と右縁部７５の間の長さＷ４および丸孔２２，３２の直径は約１５ｍｍである。支柱７は、絶縁性を有するものであれば、強度や重量を考慮した上で、任意の素材を選択可能である。
【００４２】
クリップ８は、１本の線状部材から形成されており、支柱７を挿通する円環状の挿通部としてのコイル部８３と、略倒Ｕ字に形成された取付部としての２つの把持部８４Ａ，８４Ｂを有している。クリップ８の一側端部８５Ａと他側端部８５Ｂは、コイル部８３に接近しているがコイル部８３との間に間隙８６Ａ，８６Ｂが設けられている。図１４に示す通常時は、コイル部８３の内径は支柱７の外径よりも僅かに小さく設定されているが、図１５に示すように、両把持部８４Ａ，８４Ｂを近づけるように外力を付加するとコイル部８３の内径が大きくなり、支柱７を挿通可能となる。この状態で把持部８４Ａ，８４Ｂへ付加された外力を取り除くとクリップ８の有する弾性によりクリップ８が元の状態に戻る。そのため、クリップ８のコイル部８３に支柱７を挿通し、把持部８４Ａ，８４Ｂへ付加された外力を取り除くとクリップ８が支柱７に保持される。クリップ８を支柱７から取り外す場合には、両把持部８４Ａ，８４Ｂを近づけるように外力を付加し、コイル部８３の内径を支柱７の外径よりも大きくし、支柱７をコイル部８３から引き抜けばよい。
【００４３】
電牧線９は、表面が導電性を有する電線８７を補強用の合成樹脂製のワイヤー８８に巻き付けたものである。
【００４４】
ここで、防護柵３に電気柵６を取り付ける方法について説明する。縦線部材面が山側（動物の生息域側）に面して防護柵が設置されている場合には、上板部１１を上にした状態で、縦線部材面側に支柱取付具２を配置し、上側縦線用溝２９および下側縦線用溝３９に縦線部材８１を収容すると共に、左側横線用溝４３および右側横線用溝４７に横線部材８２を収容する。その状態で、ボルト孔４９および筒部５１にフックボルト４のねじ部４Ａを挿通し、フックボルト４のフック部４Ｂを縦線部材８１と横線部材８２の何れか一方又は両方に掛止し、フックボルト４に蝶ナット５を螺合することにより防護柵３に支柱取付具２を取り付ける。
【００４５】
縦線部材面が山側と反対側に面して防護柵が設置されている場合には、下板部１２を上にした状態で、縦線部材面側に支柱取付具２を配置し、上側縦線用溝２９および下側縦線用溝３９に縦線部材８１を収容すると共に、左側横線用溝４３および右側横線用溝４７に横線部材８２を収容する。その状態で、ボルト孔４９および筒部５１にフックボルト４のねじ部４Ａを挿通し、フックボルト４のフック部４Ｂを縦線部材８１と横線部材８２の何れか一方又は両方に掛止し、フックボルト４に蝶ナット５を螺合することにより防護柵３に支柱取付具２を取り付ける。
【００４６】
次に、支柱７を長孔２１、長孔３１および左挿通溝６２に挿通する。クリップ８のコイル部８３に支柱７を挿通させた状態で支柱取付具２の上側からクリップ８が支柱取付具２の上板部１１に当接する位置までスライドさせてクリップ８を支柱７に保持する。また、別のクリップ８のコイル部８３に支柱７を挿通させた状態で支柱取付具２の下側からクリップ８が支柱取付具２の下板部１２に当接する位置までスライドさせてクリップ８を支柱７に保持する。これにより、支柱７が支柱取付具２に対して位置決めされて保持され、支柱７が支柱取付具２から外れることを防止する。なお、支柱７を鉛直方向に延設したい場合には、支柱７を丸孔２２、丸孔３２および右挿通溝７２に挿通してクリップ８により保持すればよい。
【００４７】
次に、電牧線９をクリップ８の把持部８４Ａ，８４Ｂに通して電牧線９をクリップ８に取り付ける。電牧線９の端部を持って取り付ける場合には把持部８４Ａ，８４Ｂに順に挿通していけばよいが、電牧線９の中間部を持って取り付ける場合には、電牧線をクリップ８の間隙８６Ａ，８６Ｂから把持部８４Ａ，８４Ｂの内側に通す。間隙８６Ａは把持部８４Ａの下側に形成され、間隙８６Ｂは、把持部８４Ｂの上側に形成されているため、把持部８４Ａ，８４Ｂの両方に電牧線９を通すと、電牧線９がクリップ８から外れ難くなる。なお、電牧線９を上下方向に複数設ける場合には、電牧線９と同数のクリップ８を支柱７に取り付け、そのクリップ８に電牧線９を取り付ければよい。また、クリップ８は、把持部８４Ａ，８４Ｂが支柱７よりも山側に位置するように留めておくと、電牧線９の取り付けが容易となる。
【００４８】
このように、防護柵３の縦線部材面の向きに対応させて支柱取付具２の上下を選択して防護柵３に取り付けることにより、支柱７を山側に延設させることができる。なお、本実施例では、上側縦線用溝２９の後縁部３０と下側縦線用溝３９の後縁部４０が、左側横線用溝４３の後縁部４４と右側横線用溝４７の後縁部４８よりも後側に位置しているため、支柱取付具２は縦線部材面側に取り付けるが、後縁部４４と後縁部４８を後縁部３０と後縁部４０よりも後側に位置するように左側横線用溝４３と右側横線用溝４７を形成すれば、支柱取付具２を横線部材面側に取り付けることができる。
【００４９】
以上のように、本実施例の電気柵取付具は、縦線部材８１と横線部材８２からなる格子状の柵である防護柵３の上部に電気柵６を取り付ける電気柵取付具１であって、電気柵６の支柱７を防護柵３に取り付ける支柱取付具２と、支柱取付具２を防護柵３に固定する固定具としてのフックボルト４および蝶ナット５と、支柱７を支柱取付具２に保持する保持具としてのクリップ８と、を備え、支柱取付具２には、支柱７を傾斜させて取り付ける第１の取付部である長孔２１，３１と、支柱７を鉛直に取り付ける第２の取付部である丸孔２２，３２が形成されていることにより、防護柵３の縦線部材面が山側に面しているか否かにかかわらず、支柱７を山側に傾斜させて取り付けることができる。また、使用者が支柱７を傾斜させて取り付けるか、鉛直に取り付けるかを選択することができる。
【００５０】
また、前記第１の取付部が２箇所の長孔２１，３１であり、前記第２の取付部が２箇所の丸孔２２，３２であることにより、支柱７を長孔２１，３１に挿通するだけで支柱７を傾斜させることができ、支柱７を丸孔２２，３２に挿通するだけで支柱７を鉛直にすることができる。
【００５１】
また、保持具としてのクリップ８は支柱７に着脱可能であって、支柱７を挿通可能な挿通部としてのコイル部８３と、電気柵６の電線８７を取り付け可能な取付部としての把持部８４Ａ，８４Ｂと、を有する。そのため、支柱７が支柱取付具２から抜け落ちないようにクリップ８で保持することができる。また、電線８７を把持部８４Ａ，８４Ｂに通すことにより、電線８７をクリップ８に保持することができ、防護柵３に複数の電気柵取付具１を取り付けることで、防護柵３の上部に電気柵６を設けることができる。
【００５２】
また、固定具がフックボルト４および蝶ナット５であることにより、支柱取付具２を防護柵３に容易に固定することができる。また、フックボルト４および蝶ナット５は汎用品であるため交換も容易である。
【実施例２】
【００５３】
図１６は、本発明の実施例２を示し、上記実施例１と同一部分に同一符号を付し、その詳細な説明を省略して詳述する。本実施例は、電気柵取付具１を防護柵３の柵柱９１に取り付けたものである。柵柱９１は円筒状に形成された、直径が約３８ｍｍの金属製のパイプである。本実施例では、固定具としてのフックボルト９２および蝶ナット９３により支柱取付具２を柵柱９１に固定するため、上記実施例１のフックボルト４および蝶ナット５は使用しない。柵柱９１は様々な外形サイズのものが存在するが、フックボルト９２および蝶ナット９３は、柵柱９１の外径に対応した大きさのものを選択すればよい。
【００５４】
ここで、本実施例の支柱取付具２の取り付け方法について説明する。まず、地面などに立設された柵柱９１に支柱取付具２の柵柱係止部である上板台形凹部２８および下板台形凹部３８を係止し、ボルト孔４９および筒部５１にフックボルト９２のねじ部９２Ａを挿通し、フックボルト９２のフック部９２Ｂを柵柱９１に掛止し、フックボルト９２のねじ部９２Ａに蝶ナット９３を螺合することにより防護柵３に支柱取付具２を取り付ける。上板部１１を上にして支柱取付具２を取り付けるか、下板部１２を上にして支柱取付具２を取り付けるか、また、支柱取付具２を柵柱９１の山側に取り付けるか、柵柱９１の山側と反対側に取り付けるかは、支柱７を傾斜させる方向を考慮して任意に選択することができる。支柱取付具２を取り付けた後の電気柵６の取り付け方法は、上記実施例１と同様である。
【００５５】
以上のように、本実施例の電気柵取付具は、支柱取付具２は防護柵３の柵柱９１に係止する柵柱係止部としての上板台形凹部２８および下板台形凹部３８を有することにより、防護柵３の柵柱９１に支柱取付具２を取り付けることができる。これにより、防護柵３が格子状でない場合や、合成樹脂製のネットなどであっても電気柵６を取り付けることができる。
【実施例３】
【００５６】
図１７は、本発明の実施例３を示し、上記実施例１および実施例２と同一部分に同一符号を付し、その詳細な説明を省略して詳述する。本実施例は、支柱取付具２の長孔２１および長孔３１の周囲に肉盛部９４，９５を設けたものである。
【００５７】
上記実施例１および実施例２では、支柱７を長孔２１，３１に挿通した場合、支柱７は上板部１１および下板部１２と角度θをなすが、支柱７に取り付けられたクリップ８のコイル部８３も上板部１１および下板部１２と角度θをなす。そのため、コイル部８３と上板部１１および下板部１２との間には隙間が生じる。本実施例では、肉盛部９４の上面部９４Ａおよび肉盛部９５の下面部９５Ａがコイル部８３と平行になるように肉盛部９４，９５を設け、上面部９４Ａおよび下面部９５Ａにコイル部８３を当接させてクリップ８を支柱７に取り付ける。これにより、支柱取付具２の上側に配置されたクリップ８は下方へずれることが防止され、支柱取付具２の下側に配置されたクリップ８は上方へずれることが防止される。
【００５８】
なお、本発明は上記実施例に限定されるものではなく、本発明の要旨の範囲内において、種々の変形実施が可能である。例えば、長孔と丸孔は左右反対に形成してもよい。また、蝶ナットに代えて六角ナットなどの他の形状にナットを用いてもよい。
【符号の説明】
【００５９】
１  電気柵取付具
２  支柱取付具
３  防護柵（柵）
４  フックボルト（固定具）
５  蝶ナット（固定具）
６  電気柵
７  支柱
８  クリップ（保持具）
２１  長孔（第１の取付部）
２２  丸孔（第２の取付部）
２８  上板台形凹部（柵柱係止部）
３１  長孔（第１の取付部）
３２  丸孔（第２の取付部）
３８  下板台形凹部（柵柱係止部）
８１  縦線部材
８２  横線部材
８３  コイル部（挿通部）
８４Ａ，８４Ｂ  把持部（取付部）
９１  柵柱
９２  フックボルト（固定具）
９３  蝶ナット（固定具）
【図１】
2019080519.tif 000003
【図２】
2019080519.tif 000004
【図３】
2019080519.tif 000005
【図４】
2019080519.tif 000006
【図５】
2019080519.tif 000007
【図６】
2019080519.tif 000008
【図７】
2019080519.tif 000009
【図８】
2019080519.tif 000010
【図９】
2019080519.tif 000011
【図１０】
2019080519.tif 000012
【図１１】
2019080519.tif 000013
【図１２】
2019080519.tif 000014
【図１３】
2019080519.tif 000015
【図１４】
2019080519.tif 000016
【図１５】
2019080519.tif 000017
【図１６】
2019080519.tif 000018
【図１７】
2019080519.tif 000019
【手続補正書】
【提出日】平成30年2月14日(2018.2.14)
【手続補正１】
【補正対象書類名】特許請求の範囲
【補正対象項目名】全文
【補正方法】変更
【補正の内容】
【特許請求の範囲】
【請求項１】
縦線部材と横線部材からなる格子状の柵の上部に電気柵を取り付ける電気柵取付具であって、
支柱取付具と、
前記支柱取付具を前記柵に固定する固定具と、
前記支柱を前記支柱取付具に保持する保持具と、を備え、
前記支柱取付具は、平行に配設され互いに対向する上板部と下板部とを有し、
前記上板部及び前記下板部には長孔と丸孔が穿設され、
前記長孔に前記支柱を挿通することで前記支柱が傾斜し、前記丸孔に前記支柱を挿通することで前記支柱が鉛直になり、
前記支柱を前記長孔に挿通した状態又は、前記支柱を前記丸孔に挿通した状態で前記保持具により前記支柱を前記支柱取付具に外れないように保持することを特徴とする電気柵取付具。
【請求項２】
前記保持具は前記支柱に着脱可能であって、前記支柱を挿通可能な挿通部と、前記電気柵の電線を取り付け可能な取付部と、を有することを特徴とする請求項１に記載の電気柵取付具。
【請求項３】
前記支柱取付具は前記柵の柵柱に係止する柵柱係止部を有することを特徴とする請求項１又は２に記載の電気柵取付具。
【請求項４】
前記固定具がフックボルトおよび蝶ナットであることを特徴とする請求項１〜３のいずれか１項に記載の電気柵取付具。
【手続補正２】
【補正対象書類名】明細書
【補正対象項目名】全文
【補正方法】変更
【補正の内容】
【発明の詳細な説明】
【技術分野】
【０００１】
本発明は、道路や線路沿い、農耕地等と野山との境界に設置された動物等の進入を防止する金属製の柵の上部に電気柵を取り付ける電気柵取付具に関する。
【背景技術】
【０００２】
道路、線路、農耕地などに鹿やイノシシなどの動物の侵入を防止するために、道路、線路、農耕地などとの境界に金属製の柵を設けることは一般的に行われている。このような柵は鹿やイノシシなどの動物の侵入を防止するには有効であるが、例えば、猿などは柵をよじ登ったり、飛び越えたりすることで容易にこの柵の上方を越えてしまう。
【０００３】
そこで、既設の柵の上部に電気柵を取り付け、猿などの動物が柵の上方から道路、線路、農耕地などに侵入することを防止することが行われている。この電気柵を取り付けるものとして、特許文献１に記載の支柱支持具（１）が知られている。この支柱支持具（１）は、水平方向に配設された複数の横部材（１４Ａ）と、鉛直方向に配設された複数の縦部材（１４Ｂ）を格子状に連結して形成した柵（１４）に支柱本体（１０）を取り付けるものであり、この支柱本体（１０）に装着した導電部材支持部（１１）に裸電線（１２）を張設することにより電気柵とするものである。
【先行技術文献】
【特許文献】
【０００４】
【特許文献１】特開２０１５−１００３１１号公報
【発明の概要】
【発明が解決しようとする課題】
【０００５】
特許文献１に記載の支柱支持具（１）は、支柱本体（１０）を挿入する支柱収容部（３）を備えるが、この支柱収容部（３）は支柱支持具（１）を柵（１４）に取り付けた状態では斜め上方に伸びるように設けられている。そのため、この支柱支持具（１）を用いた場合には、支柱（１５）が斜め上方に伸びるように設置される。これは、支柱（１５）を動物の生息する山側に向けて延設することで、動物が電気柵を乗り越え難くするためであると考えられる。しかしながら、柵（１４）は農耕地と道路との境界に設けられていることもあり、支柱（１５）が道路側に延設して設けられると、道路を走行する車両に接触する虞があり、支柱（１５）を柵（１４）の真上方向に延設する場合には、この支柱支持具（１）が使えないという問題があった。
【０００６】
また、特許文献１に記載の支柱支持具（１）は、横部材用凹部（６）に柵（１４）の横部材（１４Ａ）を当接させ、縦部材用凹部（７）に柵（１４）の縦部材（１４Ｂ）を当接させて柵（１４）に取り付けるものであるが、縦部材用凹部（７）が横部材用凹部（６）よりも支柱収容部（３）側に位置していることから、支柱支持具（１）は柵（１４）の縦部材（１４Ｂ）側（特許文献１の図７の紙面手前側）から取り付けるものであり、柵（１４）の横部材（１４Ａ）側（特許文献１の図７の紙面奥側）からは、横部材（１４Ａ）および縦部材（１４Ｂ）を横部材用凹部（６）および縦部材用凹部（７）に当接させて取り付けることができない。すなわち、柵（１４）の一側方向からしか取り付けることができない。柵（１４）は、縦部材（１４Ｂ）側を山側に向けて設置することが推奨されているが、実際には横部材（１４Ａ）を山側に向けて設置されている柵（１４）が多くあるのが現状である。横部材（１４Ａ）が山側に向いた柵（１４）に支柱支持具（１）を取り付けると、支柱（１５）は山と反対側に延設されることとなり、横部材（１４Ａ）が山側に向いた柵（１４）には、支柱支持具（１）が使えないという問題もあった。
【０００７】
本発明は以上の問題点を解決し、支柱を柵の真上方向と山側方向のいずれにも延設可能で、かつ、格子状の溶接金網の縦線部材側および横線部材側のいずれの方向からも取り付け可能な支柱取付具を備える電気柵取付具を提供することを目的とする。
【課題を解決するための手段】
【０００８】
本発明の請求項１に記載の電気柵取付具は、縦線部材と横線部材からなる格子状の柵の上部に電気柵を取り付ける電気柵取付具であって、支柱取付具と、前記支柱取付具を前記柵に固定する固定具と、前記支柱を前記支柱取付具に保持する保持具と、を備え、前記支柱取付具は、平行に配設され互いに対向する上板部と下板部とを有し、前記上板部及び前記下板部には長孔と丸孔が穿設され、前記長孔に前記支柱を挿通することで前記支柱が傾斜し、前記丸孔に前記支柱を挿通することで前記支柱が鉛直になり、前記支柱を前記長孔に挿通した状態又は、前記支柱を前記丸孔に挿通した状態で前記保持具により前記支柱を前記支柱取付具に外れないように保持することを特徴とする。
【０００９】
本発明の請求項２に記載の電気柵取付具は、前記保持具は前記支柱に着脱可能であって、前記支柱を挿通可能な挿通部と、前記電気柵の電線を取り付け可能な取付部と、を有することを特徴とする。
【００１０】
本発明の請求項３に記載の電気柵取付具は、前記支柱取付具は前記柵の柵柱に係止する柵柱係止部を有することを特徴とする。
【００１１】
本発明の請求項４に記載の電気柵取付具は、前記固定具がフックボルトおよび蝶ナットであることを特徴とする。
【発明の効果】
【００１２】
本発明の請求項１に記載の電気柵取付具は、電気柵の支柱を傾斜させて柵に取り付けるか、鉛直に柵に取り付けるかを使用者が選択することができる。また、単純な機構により電気柵の支柱を傾斜して、又は鉛直に取り付けることができる。
【００１３】
本発明の請求項２に記載の電気柵取付具は、電気柵の支柱の保持と電線の取り付けを同形状の保持具により行うことができる。
【００１４】
本発明の請求項３に記載の電気柵取付具は、支柱取付具を柵の柵柱に取り付けることにより、電気柵を柵の上部に取り付けることができる。
【００１５】
本発明の請求項４に記載の電気柵取付具は、汎用部品であるフックボルトおよび蝶ナットにより支柱取付具を柵に固定することができる。
【図面の簡単な説明】
【００１６】
【図１】本発明の実施例１を示す上板部を上にして支柱取付具を取り付けた電気柵取付具の斜視図である。
【図２】同、下板部を上にして支柱取付具を取り付けた電気柵取付具の斜視図である。
【図３】同、上板部を上にして支柱取付具を取り付けた防護柵および電気柵の斜視図である。
【図４】同、下板部を上にして支柱取付具を取り付けた防護柵および電気柵の斜視図である。
【図５】同、上板部を上にして支柱取付具を取り付けた電気柵取付具の右側面図である。
【図６】同、下板部を上にして支柱取付具を取り付けた電気柵取付具の左側面図である。
【図７】同、支柱取付具の平面図である。
【図８】同、支柱取付具の底面図である。
【図９】同、支柱取付具の背面図である。
【図１０】同、支柱取付具の正面図である。
【図１１】同、支柱取付具のＡ−Ａ断面図である。
【図１２】同、支柱取付具のＢ−Ｂ断面図である。
【図１３】同、支柱取付具のＣ−Ｃ断面図である。
【図１４】同、クリップの通常時の平面図である。
【図１５】同、クリップの把持部を近づけた状態の平面図である。
【図１６】本発明の実施例２を示す電気柵を取り付けた状態の電気柵取付具の斜視図である。
【図１７】本発明の実施例３を示す下板部を上にして支柱取付具を取り付けた電気柵取付具の左側面図である。
【発明を実施するための形態】
【００１７】
以下、本発明の実施例について、添付図１〜図１７を参照して説明する。以下に説明する実施例は、請求の範囲に記載された本発明の内容を限定するものではない。また、以下に説明される構成の全てが、本発明の必須要件であるとは限らない。なお、実施例において、図の手前、奥、左、右をそれぞれ、前側、後側、左側、右側として説明する。
【実施例１】
【００１８】
図１〜図１５は本発明の実施例１を示したものであり、図１および図２に示す１は本実施例の電気柵取付具であり、電気柵取付具１は、支柱取付具２と、支柱取付具２を溶接金網を用いた防護柵３に固定する固定部としてのフックボルト４および蝶ナット５から構成される。電気柵６は、支柱７と、支柱７に取り付ける保持具としてのクリップ８と、表面が導電性を有する電線８７と補強用のワイヤー８８からなる電牧線９を有する。
【００１９】
主に図７〜図１３に示すように、支柱取付具２は、ポリブチレンテレフタレート（ＰＢＴ）樹脂から形成されており、上板部１１と、下板部１２と、左板部１３と、右板部１４と、後板部１５と、左後板部１６と、右後板部１７と、により外形をなしている。上板部１１、下板部１２、左板部１３、右板部１４、後板部１５、左後板部１６および右後板部１７は、全て板状に形成されている。なお、支柱取付具２の素材は、所定以上の強度を有するものであれば、他の合成樹脂や金属を使用してもよい。
【００２０】
上板部１１と下板部１２は外形が同形状であり、平行に配設され互いに対向している。左板部１３と右板部１４は外形が同形状であり、平行に配設され互いに対向している。後板部１５は横長の長方形状、左後板部１６と右後板部１７は縦長の長方形状を有している。左板部１３は上板部１１と下板部１２の左側に接続され、右板部１４は上板部１１と下板部１２の右側に接続され、後板部１５は上板部１１と下板部１２の後側に接続され、左後板部１６は上板部１１と下板部１２の左後側に接続されると共に左板部１３および後板部１５にも接続され、右後板部１７は上板部１１と下板部１２の右後側に接続されると共に右板部１４および後板部１５にも接続されている。支柱取付具２の前側には開口部１８が形成されている。
【００２１】
上板部１１には、支柱７を挿通する挿通孔としての長孔２１と丸孔２２が穿設されている。長孔２１は上板部１１の左側であって後板側１５に形成され、丸孔２２は上板部１１の右側であって前後方向略中央に形成されている。
【００２２】
長孔２１の前後の縁部には、半円状に形成された前縁部２３と後縁部２４を有し、前縁部２３と後縁部２４との間には直線状に形成された左縁部２５および右縁部２６が形成されている。左縁部２５と右縁部２６とは平行となっている。長孔２１の前後方向（長手方向）の長さＬ１は支柱７の直径の約１．３倍に形成され、長孔２１の左縁部２３と右縁部２４との間の長さＷ１は支柱７の直径よりわずかに大きく形成されている。真円状に形成された丸孔２２の直径は、支柱７の直径よりわずかに大きく形成されている。なお、長さＬ１は、長孔２１内で支柱７を傾斜可能な長さであれば適宜変更可能である。
【００２３】
上板部１１の前側端部２７の左右方向中央には、等脚台形状の上板台形凹部２８が形成されている。また、上板台形凹部２８の上辺部分には、後述する縦線部材８１を挿通する上側縦線用溝２９が形成されている。上側縦線用溝２９の後縁部３０は円弧状に形成されている。
【００２４】
下板部１２にも上板部１１と同様に、支柱７を挿通する挿通孔としての長孔３１と丸孔３２が穿設されている。長孔３１は下板部１２の左側であって開口部１８側に形成され、丸孔３２は下板部１２の右側であって前後方向略中央に形成されている。長孔３１の前後の縁部には、半円状に形成された前縁部３３と後縁部３４を有し、前縁部３３と後縁部３４との間には直線状に形成された左縁部３５および右縁部３６が形成されている。左縁部３５と右縁部３６とは平行となっている。長孔３１の前後方向（長手方向）の長さＬ２は支柱７の直径の約１．３倍に形成され、長孔３１の左縁部３５と右縁部３６との間の長さＷ２は支柱７の直径よりわずかに大きく形成されている。丸孔３２の直径は、支柱７の直径よりわずかに大きく形成されている。なお、長さＬ２は上記Ｌ１と同様に、長孔２１内で支柱７を傾斜可能な長さであれば適宜変更可能である。
【００２５】
上板部１１に形成された長孔２１および丸孔２２の大きさと、下板部１２に形成された長孔３１および丸孔３２の大きさは同一である。図１１に示すように、上板部１１の長孔２１の中心と下板部１２の長孔３１の中心は、上板部１１および下板部１２に対して所定の角度θ（０°＜θ＜９０°）をなす軸線Ｚ１上に位置している。角度θは、上板部１１の長孔２１と下板部１２の長孔３１の位置関係に依存する。そのため、角度θは好ましくは約６０°であるが、取付時の支柱７の傾きを所望の角度とするため、角度θは任意に設定可能である。また、図１２に示すように、上板部１１の丸孔２２の中心と下板部１２の丸孔３２の中心は、上板部１１および下板部１２と直交する軸線Ｚ２上に位置している。
【００２６】
下板部１２の前側端部３７の左右方向中央には、等脚台形状の下板台形凹部３８が形成されている。また、下板台形凹部３８の上辺部分には、後述する縦線部材８１を挿通する下側縦線用溝３９が形成されている。下側縦線用溝３９の後縁部４０は円弧状に形成されている。上板部１１の上板台形凹部２８と下板部１２の下板台形凹部３８は同形状であり、上板部１１の上側縦線用溝２９と下板部１２の下側縦線用溝３９は同形状である。
【００２７】
左板部１３の前側端部４１の上下方向中央には、等脚台形状の左板台形凹部４２が形成されている。また、左板台形凹部４２の上辺部分には、後述する横線部材８２を挿通する左側横線用溝４３が形成されている。左側横線用溝４３の後縁部４４は円弧状に形成されている。
【００２８】
右板部１２の前側端部４５の上下方向中央には、等脚台形状の右板台形凹部４６が形成されている。また、右板台形凹部４６の上辺部分には、後述する横線部材８２を挿通する右側横線用溝４７が形成されている。右側横線用溝４７の後縁部４８は円弧状に形成されている。左板部１３の左板台形凹部４２と右板部１４の右板台形凹部４６は同形状であり、左板部１３の左側横線用溝４３と右板部１４の右側横線用溝４７は同形状である。
【００２９】
後板部１５の中心部分には、フックボルト４を挿通する円形のボルト孔４９が穿設されている。左後板部１６と右後板部１７は同形状である。
【００３０】
図１０〜図１３に示すように、支柱取付具２の内側には、後板部１５のボルト孔４９の周囲に前側に突出した筒部５１が立設されている。筒部５１の長さは、上板部１１および下板部１２の前後方向の長さの約１／２である。筒部５１の長さは、ボルト孔４９および筒部５１にフックボルト４を挿通した際に、フックボルト４が支柱取付具２に対して所定以上後側に移動することを規制可能な長さであれば適宜変更可能である。
【００３１】
筒部５１の上側には、上板部１１と後板部１５と筒部５１に接続された補強用のリブである上側リブ５２が形成されている。上側リブ５２は、側面視で直角台形状を有しており、上底部５３が筒部５１に接続され、下底部５４が上板部１１に接続されている。上底部５３は筒部５１と同一の長さに形成されており、下底部５４は上底部５３よりも前側まで延設されているため、上側リブ５２は前側には上傾斜辺部５５が形成されている。
【００３２】
筒部５１の下側には、下板部１２と後板部１５と筒部５１に接続された補強用のリブである下側リブ５６が形成されている。下側リブ５６は、側面視で直角台形状を有しており、上底部５７が筒部５１に接続され、下底部５８が下板部１２に接続されている。上底部５７は筒部５１と同一の長さに形成されており、下底部５８は上底部５７よりも前側まで延設されているため、下側リブ５６は前側には下傾斜辺部５９が形成されている。
【００３３】
筒部５１の左側には、左板部１３と後板部１５と左後板部１６と筒部５１に接続された補強用のリブである左側リブ６１が形成されている。左側リブ６１には、支柱７を挿通する挿通溝としての左挿通溝６２が形成されている。左挿通溝６２は前側が開口し、後側の縁部である後縁部６３は長孔２１および長孔３１の後縁部２４，３４と同形状（半円状）を有している。後縁部６３の前側に形成された直線状の左縁部６４および右縁部６５は平行となっており、左縁部６４と右縁部６５の間の長さＷ３は長孔２１の左縁部２５と右縁部２６との間の長さＷ１および長孔３１の左縁部３５と右縁部３６との間の長さＷ２と同一である。また、左側リブ６１の左挿通溝６２より右側の部分には、筒部５１に接続する左傾斜辺部６６が形成されている。
【００３４】
左挿通溝６２の後縁部６３は、上板部１１に形成された長孔２１の後縁部２４よりも前側であって、下板部１２に形成された長孔３１の後縁部３４よりも後側に位置しており、支柱７を長孔２１および長孔３１に挿通し、支柱７が後縁２４および後縁３４に当接した状態で、左挿通溝６２の後縁部６３に支柱７が当接するように形成されている。
【００３５】
筒部５１の右側には、右板部１４と後板部１５と右後板部１７と筒部５１に接続された補強用のリブである右側リブ７１が形成されている。右側リブ７１には、支柱７を挿通する挿通溝としての右挿通溝７２が形成されている。右挿通溝７２は前側が開口し、後側の縁部である後縁部７３は左挿通溝６２の後縁部６３と同形状（半円状）を有している。後縁部７３の前側に形成された直線状の左縁部７４および右縁部７５は平行となっており、左縁部７４と右縁部７５の間の長さＷ４は左挿通溝６２の左縁部６４と右縁部６５との間の長さＷ３と同一である。右側リブ７１の右挿通溝７２より左側の部分には、筒部５１に接続する右傾斜辺部７６が形成されている。
【００３６】
右挿通溝７２は、上板部１１に形成された丸孔２２と下板部１２に形成された丸孔３２に支柱７を挿通する際に支柱７が右側リブ７１によって規制されないように形成されており、丸孔２２と丸孔３２に支柱７を挿通し、支柱７が丸孔２２の後端と丸孔３２の後端に当接した状態の時に、支柱７が後縁部７３に当接するように形成されている。
【００３７】
筒部５１の長さを上板部１１および下板部１２の前後方向の長さの約１／２とし、上傾斜辺部５５、下傾斜辺部５９、左傾斜辺部６６および右傾斜辺部７６を形成することにより、フックボルト４をボルト孔４９および筒部５１に挿通した状態で、フックボルト４のフック部４Ｂが上側リブ５２、下側リブ５６、左側リブ６１および右側リブ７１に接触することなくフックボルト４を回転させることができる。
【００３８】
地面に立設して使用される防護柵３は、複数の縦線部材８１の一側に複数の横線部材８２を縦線部材８１に対して直角をなした状態で溶接により固定されたものである。以下、本実施例では、図１に示すように、縦線部材８１が手前側となっている面を縦線部材面、図２に示すように、横線部材８２が手前側となっている面を横線部材面という。
【００３９】
支柱７は、ガラス繊維により細長い円柱状に形成されている。支柱７は、直径８，１０，１４ｍｍ（ミリメートル）など所望の太さのものを使用可能であるが、本実施例では、１４ｍｍのものを使用している。したがって、長孔２１の左縁部２３と右縁部２４との間の長さＷ１、長孔３１の左縁部３５と右縁部３６との間の長さＷ２、左挿通溝６２の左縁部６４と右縁部６５の間の長さＷ３、右挿通溝７２の左縁部７４と右縁部７５の間の長さＷ４および丸孔２２，３２の直径は約１５ｍｍである。支柱７は、絶縁性を有するものであれば、強度や重量を考慮した上で、任意の素材を選択可能である。
【００４０】
クリップ８は、１本の線状部材から形成されており、支柱７を挿通する円環状の挿通部としてのコイル部８３と、略倒Ｕ字に形成された取付部としての２つの把持部８４Ａ，８４Ｂを有している。クリップ８の一側端部８５Ａと他側端部８５Ｂは、コイル部８３に接近しているがコイル部８３との間に間隙８６Ａ，８６Ｂが設けられている。図１４に示す通常時は、コイル部８３の内径は支柱７の外径よりも僅かに小さく設定されているが、図１５に示すように、両把持部８４Ａ，８４Ｂを近づけるように外力を付加するとコイル部８３の内径が大きくなり、支柱７を挿通可能となる。この状態で把持部８４Ａ，８４Ｂへ付加された外力を取り除くとクリップ８の有する弾性によりクリップ８が元の状態に戻る。そのため、クリップ８のコイル部８３に支柱７を挿通し、把持部８４Ａ，８４Ｂへ付加された外力を取り除くとクリップ８が支柱７に保持される。クリップ８を支柱７から取り外す場合には、両把持部８４Ａ，８４Ｂを近づけるように外力を付加し、コイル部８３の内径を支柱７の外径よりも大きくし、支柱７をコイル部８３から引き抜けばよい。
【００４１】
電牧線９は、表面が導電性を有する電線８７を補強用の合成樹脂製のワイヤー８８に巻き付けたものである。
【００４２】
ここで、防護柵３に電気柵６を取り付ける方法について説明する。縦線部材面が山側（動物の生息域側）に面して防護柵が設置されている場合には、上板部１１を上にした状態で、縦線部材面側に支柱取付具２を配置し、上側縦線用溝２９および下側縦線用溝３９に縦線部材８１を収容すると共に、左側横線用溝４３および右側横線用溝４７に横線部材８２を収容する。その状態で、ボルト孔４９および筒部５１にフックボルト４のねじ部４Ａを挿通し、フックボルト４のフック部４Ｂを縦線部材８１と横線部材８２の何れか一方又は両方に掛止し、フックボルト４に蝶ナット５を螺合することにより防護柵３に支柱取付具２を取り付ける。
【００４３】
縦線部材面が山側と反対側に面して防護柵が設置されている場合には、下板部１２を上にした状態で、縦線部材面側に支柱取付具２を配置し、上側縦線用溝２９および下側縦線用溝３９に縦線部材８１を収容すると共に、左側横線用溝４３および右側横線用溝４７に横線部材８２を収容する。その状態で、ボルト孔４９および筒部５１にフックボルト４のねじ部４Ａを挿通し、フックボルト４のフック部４Ｂを縦線部材８１と横線部材８２の何れか一方又は両方に掛止し、フックボルト４に蝶ナット５を螺合することにより防護柵３に支柱取付具２を取り付ける。
【００４４】
次に、支柱７を長孔２１、長孔３１および左挿通溝６２に挿通する。クリップ８のコイル部８３に支柱７を挿通させた状態で支柱取付具２の上側からクリップ８が支柱取付具２の上板部１１に当接する位置までスライドさせてクリップ８を支柱７に保持する。また、別のクリップ８のコイル部８３に支柱７を挿通させた状態で支柱取付具２の下側からクリップ８が支柱取付具２の下板部１２に当接する位置までスライドさせてクリップ８を支柱７に保持する。これにより、支柱７が支柱取付具２に対して位置決めされて保持され、支柱７が支柱取付具２から外れることを防止する。なお、支柱７を鉛直方向に延設したい場合には、支柱７を丸孔２２、丸孔３２および右挿通溝７２に挿通してクリップ８により保持すればよい。
【００４５】
次に、電牧線９をクリップ８の把持部８４Ａ，８４Ｂに通して電牧線９をクリップ８に取り付ける。電牧線９の端部を持って取り付ける場合には把持部８４Ａ，８４Ｂに順に挿通していけばよいが、電牧線９の中間部を持って取り付ける場合には、電牧線をクリップ８の間隙８６Ａ，８６Ｂから把持部８４Ａ，８４Ｂの内側に通す。間隙８６Ａは把持部８４Ａの下側に形成され、間隙８６Ｂは、把持部８４Ｂの上側に形成されているため、把持部８４Ａ，８４Ｂの両方に電牧線９を通すと、電牧線９がクリップ８から外れ難くなる。なお、電牧線９を上下方向に複数設ける場合には、電牧線９と同数のクリップ８を支柱７に取り付け、そのクリップ８に電牧線９を取り付ければよい。また、クリップ８は、把持部８４Ａ，８４Ｂが支柱７よりも山側に位置するように留めておくと、電牧線９の取り付けが容易となる。
【００４６】
このように、防護柵３の縦線部材面の向きに対応させて支柱取付具２の上下を選択して防護柵３に取り付けることにより、支柱７を山側に延設させることができる。なお、本実施例では、上側縦線用溝２９の後縁部３０と下側縦線用溝３９の後縁部４０が、左側横線用溝４３の後縁部４４と右側横線用溝４７の後縁部４８よりも後側に位置しているため、支柱取付具２は縦線部材面側に取り付けるが、後縁部４４と後縁部４８を後縁部３０と後縁部４０よりも後側に位置するように左側横線用溝４３と右側横線用溝４７を形成すれば、支柱取付具２を横線部材面側に取り付けることができる。
【００４７】
以上のように、本実施例の電気柵取付具は、縦線部材８１と横線部材８２からなる格子状の柵である防護柵３の上部に電気柵６を取り付ける電気柵取付具１であって、電気柵６の支柱７を防護柵３に取り付ける支柱取付具２と、支柱取付具２を防護柵３に固定する固定具としてのフックボルト４および蝶ナット５と、支柱７を支柱取付具２に保持する保持具としてのクリップ８と、を備え、支柱取付具２には、支柱７を傾斜させて取り付ける長孔２１，３１と、支柱７を鉛直に取り付ける丸孔２２，３２が形成されていることにより、防護柵３の縦線部材面が山側に面しているか否かにかかわらず、支柱７を山側に傾斜させて取り付けることができる。また、使用者が支柱７を傾斜させて取り付けるか、鉛直に取り付けるかを選択することができる。
【００４８】
また、支柱７を長孔２１，３１に挿通するだけで支柱７を傾斜させることができ、支柱７を丸孔２２，３２に挿通するだけで支柱７を鉛直にすることができる。
【００４９】
また、保持具としてのクリップ８は支柱７に着脱可能であって、支柱７を挿通可能な挿通部としてのコイル部８３と、電気柵６の電線８７を取り付け可能な取付部としての把持部８４Ａ，８４Ｂと、を有する。そのため、支柱７が支柱取付具２から抜け落ちないようにクリップ８で保持することができる。また、電線８７を把持部８４Ａ，８４Ｂに通すことにより、電線８７をクリップ８に保持することができ、防護柵３に複数の電気柵取付具１を取り付けることで、防護柵３の上部に電気柵６を設けることができる。
【００５０】
また、固定具がフックボルト４および蝶ナット５であることにより、支柱取付具２を防護柵３に容易に固定することができる。また、フックボルト４および蝶ナット５は汎用品であるため交換も容易である。
【実施例２】
【００５１】
図１６は、本発明の実施例２を示し、上記実施例１と同一部分に同一符号を付し、その詳細な説明を省略して詳述する。本実施例は、電気柵取付具１を防護柵３の柵柱９１に取り付けたものである。柵柱９１は円筒状に形成された、直径が約３８ｍｍの金属製のパイプである。本実施例では、固定具としてのフックボルト９２および蝶ナット９３により支柱取付具２を柵柱９１に固定するため、上記実施例１のフックボルト４および蝶ナット５は使用しない。柵柱９１は様々な外形サイズのものが存在するが、フックボルト９２および蝶ナット９３は、柵柱９１の外径に対応した大きさのものを選択すればよい。
【００５２】
ここで、本実施例の支柱取付具２の取り付け方法について説明する。まず、地面などに立設された柵柱９１に支柱取付具２の柵柱係止部である上板台形凹部２８および下板台形凹部３８を係止し、ボルト孔４９および筒部５１にフックボルト９２のねじ部９２Ａを挿通し、フックボルト９２のフック部９２Ｂを柵柱９１に掛止し、フックボルト９２のねじ部９２Ａに蝶ナット９３を螺合することにより防護柵３に支柱取付具２を取り付ける。上板部１１を上にして支柱取付具２を取り付けるか、下板部１２を上にして支柱取付具２を取り付けるか、また、支柱取付具２を柵柱９１の山側に取り付けるか、柵柱９１の山側と反対側に取り付けるかは、支柱７を傾斜させる方向を考慮して任意に選択することができる。支柱取付具２を取り付けた後の電気柵６の取り付け方法は、上記実施例１と同様である。
【００５３】
以上のように、本実施例の電気柵取付具は、支柱取付具２は防護柵３の柵柱９１に係止する柵柱係止部としての上板台形凹部２８および下板台形凹部３８を有することにより、防護柵３の柵柱９１に支柱取付具２を取り付けることができる。これにより、防護柵３が格子状でない場合や、合成樹脂製のネットなどであっても電気柵６を取り付けることができる。
【実施例３】
【００５４】
図１７は、本発明の実施例３を示し、上記実施例１および実施例２と同一部分に同一符号を付し、その詳細な説明を省略して詳述する。本実施例は、支柱取付具２の長孔２１および長孔３１の周囲に肉盛部９４，９５を設けたものである。
【００５５】
上記実施例１および実施例２では、支柱７を長孔２１，３１に挿通した場合、支柱７は上板部１１および下板部１２と角度θをなすが、支柱７に取り付けられたクリップ８のコイル部８３も上板部１１および下板部１２と角度θをなす。そのため、コイル部８３と上板部１１および下板部１２との間には隙間が生じる。本実施例では、肉盛部９４の上面部９４Ａおよび肉盛部９５の下面部９５Ａがコイル部８３と平行になるように肉盛部９４，９５を設け、上面部９４Ａおよび下面部９５Ａにコイル部８３を当接させてクリップ８を支柱７に取り付ける。これにより、支柱取付具２の上側に配置されたクリップ８は下方へずれることが防止され、支柱取付具２の下側に配置されたクリップ８は上方へずれることが防止される。
【００５６】
なお、本発明は上記実施例に限定されるものではなく、本発明の要旨の範囲内において、種々の変形実施が可能である。例えば、長孔と丸孔は左右反対に形成してもよい。また、蝶ナットに代えて六角ナットなどの他の形状にナットを用いてもよい。
【符号の説明】
【００５７】
１  電気柵取付具
２  支柱取付具
３  防護柵（柵）
４  フックボルト（固定具）
５  蝶ナット（固定具）
６  電気柵
７  支柱
８  クリップ（保持具）
２１  長孔
２２  丸孔
２８  上板台形凹部（柵柱係止部）
３１  長孔
３２  丸孔
３８  下板台形凹部（柵柱係止部）
８１  縦線部材
８２  横線部材
８３  コイル部（挿通部）
８４Ａ，８４Ｂ  把持部（取付部）
９１  柵柱
９２  フックボルト（固定具）
９３  蝶ナット（固定具）